(57)【特許請求の範囲】
【請求項１】
装置本体とアダプターを着脱可能に接続結合するアダプター着脱装置において、
装置本体とアダプターとを電気的に接続する接点部と、
装置本体とアダプターのいずれかのユニットと当接する当接面と、
装置本体とアダプターのいずれかのユニットを当接面に摺動させて、装置本体とアダプターを相対移動することにより結合する複数の結合部と、
装置本体とアダプターのいずれかのユニットの凹部に嵌合し、該凹部に嵌合した後に当接面に平行な方向であって前記相対移動の方向と平行な方向に摺動可能な凸部を備える連結固定部と、
前記結合部により結合状態となった装置本体とアダプターの相対移動を阻止するための前記連結固定部を係止する係止部と、
この係止部の係止を解除する連結解除部と、
を備えたことを特徴とするアダプター着脱装置。
【請求項２】
装置本体とアダプターのいずれかのユニットに設けた凸部の位置と結合状態において対向する位置に、凸部を設けたことを特徴とする請求項１記載のアダプター着脱装置。
【請求項３】
装置本体とアダプターのいずれかのユニットと当接面との間に、結合状態において弾性部材を挟むことを特徴とする請求項１記載のアダプター着脱装置。
【請求項４】
前記係止部は、第１付勢手段によって前記連結固定部を係止する方向に付勢され、前記連結解除部は、第２付勢手段の付勢力に抗して移動する連結解除釦を備え、前記連結解除釦は、前記係止部の先端が当接し摺動して前記係止部を係止解除の方向に移動させる摺動部分を設けたことを特徴とする請求項１記載のアダプター着脱装置。
【発明の詳細な説明】
【０００１】
【産業前の利用分野】
本発明は、カメラ，ビデオ等の携帯機器に用いられるアダプター着脱装置に関するものである。
【０００２】
【従来の技術】
近年、カメラ，ビデオ等の携帯用の電気機器において、持ち運びの利便性を考慮した小型化が進み、かつ多機能な製品が望まれており、特に最近のマルチメディアとして、画像，音声の編集，印刷や通信処理を行うパーソナル・コンピュータ等に接続する入力装置として用いられる等、その用途は広がりつつある。一例として、デジタル電子スチル・カメラは携帯してデータ記録を行いやすくかつ小型化され、記録した画像，音声データを確認する再生手段、あるいは他の機器へデータ伝送をする通信手段等は、その機能を必要とするときに用いるように着脱可能となっている。
【０００３】
特開平２−261270号公報に記載されている電子写真機では、情報記録部，プリント部が着脱可能で、状況により電子写真機に情報記録部を装着して画像の記録ができ、また情報記録部をプリント部に装着して画像記録を再生，印刷でき、さらに電子写真機にプリント部を装着して再生，印刷することができるようになっている。また、特開平４−200184号公報の記載によれば、相互に着脱可能に構成され、必要に応じて適宜選択，組み合せることで用いられる。
【０００４】
以上のように、撮像部，ＴＶ再生部，モニタおよびプリンタ部等の各アダプター部を必要な用途に応じて組み合わせて、着脱装置により装着することにより多くの機能を選択できる。
【０００５】
【発明が解決しようとする課題】
しかしながら、このような構成とするためのアダプター着脱装置は、着脱可能とすることにより、接続部において電気的な接点不良、装置本体の構成等により結合部分が限定され結合部分となる面積の大きさ、結合するため必要となる隙間等により、装置本体とアダプター間の結合部分に歪みや、がたが発生するという問題があった。
【０００６】
本発明は、前記従来技術の問題を解決するものであり、装置本体とアダプターの結合部において、相対移動の短いストロークで電気的な接続信頼性を向上させ、がたのない確実な結合を行うことのできるアダプター着脱装置を提供することを目的とする。
【０００７】
【課題を解決するための手段】
この目的を達成するために、本発明は、装置本体とアダプターを着脱可能に接続結合するアダプター着脱装置において、装置本体とアダプターとを電気的に接続する接点部と、装置本体とアダプターのいずれかのユニットと当接する当接面と、装置本体とアダプターのいずれかのユニットを当接面に摺動させて、装置本体とアダプターを相対移動することにより結合する複数の結合部と、装置本体とアダプターのいずれかのユニットの凹部に嵌合し、該凹部に嵌合した後に当接面に平行な方向であって前記相対移動の方向と平行な方向に摺動可能な凸部を備える連結固定部と、前記結合部により結合状態となった装置本体とアダプターの相対移動を阻止するための前記連結固定部を係止する係止部と、この係止部の係止を解除する連結解除部と、を備えたことを特徴とする。
【０００８】
また、装置本体とアダプターのいずれかのユニットに設けた凸部の位置と結合状態において対向する位置に、凸部を設けたこと、また、装置本体とアダプターのいずれかのユニットと当接面との間に、結合状態において弾性部材を挟むことを特徴とする。
【０００９】
また、前記係止部は、第１付勢手段によって前記連結固定部を係止する方向に付勢され、前記連結解除部は、第２付勢手段の付勢力に抗して移動する連結解除釦を備え、前記連結解除釦は、前記係止部の先端が当接し摺動して前記係止部を係止解除の方向に移動させる摺動部分を設けるように構成したものである。
【００１０】
【作用】
前記構成によれば、装置本体とアダプターの結合部分を当接した当接面を摺動させて相対移動することにより電気的に接続する接点部を摺動し、結合部により結合状態を固定する連結固定部を係止部にて係止し、装置本体とアダプターの相対移動を阻止して結合し、連結解除部により連結固定部の係止を解除し着脱可能とする。
【００１１】
また、装置本体とアダプターが相対移動後の結合状態のとき装置本体とアダプターの両方の対向位置に凸部を設け、あるいは、装置本体とアダプターの当接面のいずれかに弾性部材を設けることにより、確実な結合を行う。
【００１２】
【実施例】
以下、図面を参照して実施例を詳細に説明する。
【００１３】
図１は本発明の一実施例であるデジタル電子スチル・カメラの装置本体の側面図、図２はアダプター着脱装置の側面図、図３はモニターユニットに設けたアダプター着脱装置の正面図を示したものである。
【００１４】
図１〜図３において、１はデジタル電子スチル・カメラの装置本体、２はモニターユニット、３はモニターユニット２に設けたアダプター着脱装置、４は装置本体１との電気的接続を行う接点部、４´は装置本体１側の接点部、５aは装置本体１の結合凹部５bと結合する結合凸部、６は連結固定部で矢印Ｃ，Ｄ方向(図４)に摺動可能な連結固定ピン、６aは連結固定ピン６に突出して装置本体１の凹部６bに嵌合する凸部、７は連結解除釦である。
【００１５】
また、図４(a)は本実施例のアダプター着脱装置の連結固定ピンの係止された状態、図４(b)は連結固定ピンの係止が解除された状態を示す透視図である。図４において、８は、軸９を支点として回動自在に設け、連結固定ピン６の係止部である係止レバー、８aは係止レバー８の先端部、10は、連結固定ピン６を矢印Ｄ方向に、また係止レバー８を係止方向に付勢するバネ、11は、連結解除釦７により矢印Ｃ方向に移動し連結固定ピン６を係止している係止レバーを解除し、バネ12により矢印Ｄ方向に付勢されている解除部材、11aは解除部材11の摺動部分である。
【００１６】
図５は前記結合凸部，結合凹部、および連結固定ピンの凸部，凹部の結合状態を示す説明図で、５a´は穴、５b´は突起である。
【００１７】
まず、本実施例における装置本体１とモニターユニット２に設けられたアダプター着脱装置３の装着動作を説明する。装置本体１とアダプター着脱装置３の結合部分を当接させて、装置本体１の結合凹部５bとアダプター着脱装置３の結合凸部５a、および連結固定ピン６の凸部６aと装置本体１側の凹部６bを嵌合する(図５参照)。装置本体１とアダプター着脱装置３を摺動するように相対移動させ、このとき接点部４は装置本体１の接点部４´との接触部分で、電気的信頼性を向上させるため接点部４，４´を摺動する。また、結合部の結合凸部５aの穴５a´と結合凹部５bの突起５b´が嵌合して、結合状態となる位置まで連結固定ピン６の凸部６aは摺動する。
【００１８】
次に、結合状態となった装置本体１とアダプター着脱装置３の相対移動を阻止するように、連結固定ピン６はバネ10により係止方向に付勢される係止レバー８により係止される(図４(a)参照)。結果として連結固定ピン６が係止されることで、装置本体１とアダプター着脱装置３を設けたモニターユニット２は相対移動が阻止され結合凸部５a，結合凹部５bにより結合される。
【００１９】
また、装置本体１とアダプター着脱装置３の連結解除を行う場合に連結解除釦７が押される。連結解除部として、連結解除釦７により解除部材11が矢印Ｃ方向に移動する。解除部材11の摺動部分11aと係止レバー８の先端部８aが当接し、さらに矢印Ｃ方向に解除部材11が移動すると、摺動部分11aを先端部８aが摺動し係止解除の方向に係止レバー８を移動する。連結固定ピン６は係止が解除されて摺動可能となり、装置本体１とアダプター着脱装置３を相対移動させることで、結合凸部５aと結合凹部５bの結合が解除される(図４(b)参照)。
【００２０】
次に、図６は結合部分を確実に結合するための例を示し、結合のため相対移動した対向位置に凸部を設けた場合の結合中の正面図(a)、結合状態の正面図(b)、結合状態の側面図(c)である。また、図７は結合部分の相対移動と並行な方向の両端に突起を設けた場合を示す結合状態の側面図(a)、結合時の突起の状態を示す図(b)であり、図８は結合部の間に弾性部材を挾んだ場合を示す結合状態の側面図である。
【００２１】
図５に示す結合部分において、結合するための引っ掛け部分である結合凸部
５aの穴５a´と結合凹部５bの突起５b´の嵌合する部分に隙間がないと結合することが難しく、また、この隙間があるために結合したあと結合部分にがたが発生する。これを防ぐために、装置本体１とアダプター着脱装置３の結合部分に凸部13を設け、相対移動して結合状態のときに凸部13同士が対向位置となるようにする(図６(a)，(b)参照)。これにより対向する凸部13同士が乗り上げ隙間分のがたをなくすことができる(図６(c)参照)。
【００２２】
また、アダプター着脱装置３の結合部分の相対移動する方向と並行な両端部分に弾性を有し変形可能な突起14を設ける。この突起14は装置本体１の結合部分の両端にかかるように設け、楔の原理によりこの突起14には変形方向に大きな力が加わる(図７(a)参照)。着脱においては突起14を変形させながら行うことができる(図７(b)参照)。または、装置本体１とアダプター着脱装置３の結合部の間で挾むようにゴム等の弾性部材15を設ける。この弾性部材15の弾性力によりがたのない結合状態が可能となる(図８参照)。
【００２３】
以上説明したように、装置本体１とアダプター着脱装置を結合凸部５a，結合凹部５b，連結固定ピン６，係止レバー８等により、当接して相対移動させることで短いストロークにて結合でき、かつ接点部を摺動することで電気的接続の信頼性を向上させ、結合部分に設けた凸部13，突起14，弾性部材15等により結合状態を確実に行える。
【００２４】
なお、確実な結合状態とすることで、装置本体１とモニターユニット２を結合状態としたアダプター着脱装置３の一部を支点とし、装置本体１とモニターユニット２を回動自在とすることも可能となる。
【００２５】
【発明の効果】
以上説明したように、本発明のアダプター着脱装置は、請求項１記載の構成にによれば、装置本体とアダプターの結合部分を当接した当接面を摺動して相対移動することにより、電気的な接続部分の接点部を摺動して接続できるので、接続の信頼性を向上でき、結合凸部と結合凹部、連結固定ピンの凸部と装置本体の凹部を嵌合させ連結固定ピンの摺動範囲の短いストロークで係止レバーにて係止して結合し、連結解除釦で連結固定ピンの係止を解除し相対移動させて装置本体とアダプターの着脱を行うことができる。
【００２６】
また、請求項２および３記載の構成によれば、装置本体とアダプターが相対移動して結合状態のとき対向位置に設けた凸部により、あるいは装置本体とアダプターの結合した当接面に弾性部材を設けることにより、結合状態のときにがたのないより確実な結合ができるという効果を奏する。
【図面の簡単な説明】
【図１】本発明の一実施例におけるデジタル電子スチル・カメラの装置本体を示す側面図である。
【図２】本発明の一実施例におけるアダプター着脱装置を示す側面図である。
【図３】本発明の一実施例におけるモニターユニットに設けたアダプター着脱装置を示す正面図である。
【図４】本発明の一実施例におけるアダプター着脱装置の連結固定ピンの係止された状態(a)および連結固定ピンの係止が解除された状態(b)を示す透視図である。
【図５】本発明の一実施例における結合凸部，結合凹部、および連結固定ピンの凸部，凹部の結合状態を示す説明図である。
【図６】本発明の一実施例における結合部分を確実に結合するための例を示し、結合のため相対移動した対向位置に凸部を設けた場合の結合中の正面図(a)、結合状態の正面図(b)、結合状態の側面図(c)である。
【図７】本発明の一実施例における結合部分の相対移動と並行な方向の両端に突起を設けた場合を示す結合状態の側面図(a)、結合時の突起の状態を示す図(b)である。
【図８】結合部の間に弾性部材を挾んだ場合を示す結合状態の側面図である。
【符号の説明】
１…装置本体、  ２…モニターユニット、  ３…アダプター着脱装置、  ４，
４´…接点部、  ５a…結合凸部、  ５a´…穴、  ５b…結合凹部、  ５b´，14…突起、  ６…連結固定ピン、  ６a，13…凸部、  ６b…凹部、  ７…連結解除釦、  ８…係止レバー、  ８a…先端部、  ９…軸、  10，12…バネ、  11…解除部材、  11a…摺動部分、  15…弾性部材。
【図１】
0003816967.tif 000002
【図２】
0003816967.tif 000003
【図３】
0003816967.tif 000004
【図４】
0003816967.tif 000005
【図５】
0003816967.tif 000006
【図６】
0003816967.tif 000007
【図７】
0003816967.tif 000008
【図８】
0003816967.tif 000009